(57)【要約】【課題】  レジストレーション補正のために、入力画像の注目画素の横方向の画素を参照してドットの有無を検知し中間調画像かどうか判定する場合、画像形成に用いるディザマトリクスの閾値配列によっては中間調画像であるにも関わらずドットが存在しない領域が存在し、誤判定を起こしてしまう場合がある。【解決手段】  主走査方向にドットが存在しない領域が生じないように、ディザマトリクスが有する第１のサブマトリクスと横方向に隣接する第２のサブマトリクスで、スクリーン処理によって最初に生成するドットの点灯位置を縦方向に異ならせる。【選択図】  図１４
2019110469.tif 000002
【特許請求の範囲】
【請求項１】
画像データの画素の値と前記画素に対応するディザマトリクスの閾値とを比較することにより、前記画像データにスクリーン処理を行うスクリーン処理手段と、
前記スクリーン処理手段によるスクリーン処理後の画像データにおいて、注目画素の横方向の所定の長さの領域内の画素値に基づき、前記注目画素が中間調画像に含まれているか否かを判定する判定手段とを有し、
前記ディザマトリクスは複数のサブマトリクスで構成され、前記複数のサブマトリクスのうち、縦方向と横方向の画素数が同じである第１のサブマトリクスと第２のサブマトリクスは横方向に隣接し、前記第１のサブマトリクスの成長中心の閾値の位置と前記第２のサブマトリクスの成長中心の閾値の位置は、縦方向に異なり、前記判定手段における前記所定の長さは、前記第１のサブマトリクスの横方向の画素数よりも大きいことを特徴とする画像形成装置。
【請求項２】
前記第１のサブマトリクスの２番目に成長する閾値と前記第２のサブマトリクスの成長中心の閾値は、前記ディザマトリクスにおける縦方向の位置が等しいことを特徴とする請求項１に記載の画像形成装置。
【請求項３】
前記第１のサブマトリクスの前記成長中心の閾値と２番目に成長する閾値は、縦方向に隣接することを特徴とする請求項１に記載の画像形成装置。
【請求項４】
前記判定手段は、前記所定の長さの領域内に含まれるエッジ部の数が所定数以上の場合、前記注目画素は中間調画像に含まれると判定することを特徴とする請求項１乃至３のいずれか１項に記載の画像形成装置。
【請求項５】
さらに、前記判定手段によって中間調画像に含まれていると判定された画素について、乗り換え位置で縦方向へ１画素ずらし処理と、１画素ずらした段差を補正する処理を行う補正手段とを有することを特徴とする請求項１または２に記載の画像形成装置。
【請求項６】
画像データの画素の値と前記画素に対応するディザマトリクスの閾値とを比較することにより、前記画像データにスクリーン処理を行うスクリーン処理ステップと、
前記スクリーン処理ステップによるスクリーン処理後の画像データにおいて、注目画素の横方向の所定の長さの領域内の画素値に基づき、前記注目画素が中間調画像に含まれているか否かを判定する判定ステップとを有し、
前記ディザマトリクスは複数のサブマトリクスで構成され、前記複数のサブマトリクスのうち、縦方向と横方向の画素数が同じである第１のサブマトリクスと第２のサブマトリクスは横方向に隣接し、前記第１のサブマトリクスの成長中心の閾値の位置と前記第２のサブマトリクスの成長中心の閾値の位置は、縦方向に異なり、前記判定ステップにおける前記所定の長さは、前記第１のサブマトリクスの横方向の画素数よりも大きいことを特徴とする画像形成方法。
【請求項７】
前記第１のサブマトリクスの２番目に成長する閾値と前記第２のサブマトリクスの成長中心の閾値は、前記ディザマトリクスにおける縦方向の位置が等しいことを特徴とする請求項６に記載の画像形成方法。
【請求項８】
前記第１のサブマトリクスの前記成長中心の閾値と２番目に成長する閾値は、縦方向に隣接することを特徴とする請求項６に記載の画像形成方法。
【請求項９】
前記判定ステップは、前記所定の長さの領域内に含まれるエッジ部の数が所定数以上の場合、前記注目画素は中間調画像に含まれると判定することを特徴とする請求項６乃至８のいずれか１項に記載の画像形成方法。
【請求項１０】
さらに、前記判定ステップによって中間調画像に含まれていると判定された画素について、乗り換え位置で縦方向へ１画素ずらし処理と、１画素ずらした段差を補正する処理を行う補正ステップとを有することを特徴とする請求項６または７に記載の画像形成方法。
【請求項１１】
コンピュータを、請求項１乃至５のいずれか１項に記載の画像形成装置の各手段として機能させるためのプログラム。
【発明の詳細な説明】
【技術分野】
【０００１】
本発明は、画像形成装置、画像形成方法およびプログラムに関する。
【背景技術】
【０００２】
近年、電子写真方式のカラー画像形成装置の画像形成スピード高速化のために、トナーの色数と同数の現像機および感光ドラムを備え、画像搬送ベルト上や、記録媒体上に順次異なる色の画像を転写するタンデム方式のカラー画像形成装置が増えている。このタンデム方式のカラー画像形成装置においては、レジストレーションずれを生じさせる複数の要因が存在することが知られており、各要因に対して様々な対処方法が提案されている。
【０００３】
レジストレーションずれを生じさせる要因の一つが、偏光走査装置のレンズ不均一性や取り付け位置ずれなどがあげられる。この位置ずれにより走査線に傾きや曲がりが生じ、走査線の傾きの度合いや曲がりの方向は色ごとに異なる。この色ごとの違いによりレジストレーションずれが引き起こされる。
【０００４】
レジストレーションずれへの対処方法として、特許文献１には、光学センサを用いてビームの走査線の傾きと曲がりの大きさを測定し、それらを相殺するようにビットマップ画像データを副走査方向へオフセットし、その補正した画像を形成する方法が記載されている。特許文献１に記載の方法では、画像データを電気的に補正するため、機械的な調整部材や組立時の調整工程が不要になる。従って、カラー画像形成装置を小型化することが可能となり、且つ、安価にレジストレーションずれに対処することができる。なお、以後の記載においては、オフセットさせる位置を乗り換え位置と称する。１画素未満の補正は、画像データの階調値を副走査方向の前後の画素で調整する。つまり、本来の直線の重心位置とオフセット処理後の重心位置が一致するように注目画素と副走査方向の前後の画素値で平滑化処理を行う。
【０００５】
例えば、文字・細線などは、補間処理を行い平滑化することで情報の視認性が高まる。逆に、スクリーン処理を行った中間調画像の乗り換え位置において補間処理を行うと、乗り換え位置上のみ濃度ムラが生じて画質が劣化するといった問題がある。この理由として、例えばドット成長スクリーンを使用した場合、乗り換え位置上でスクリーンを構成するドット形状が補間処理によって変わってしまうため、マクロ的に見ると濃度が変わったように見えるためである。
【０００６】
このように、平滑化を用いた補間処理を行うと対象となる画像データの属性によって補間処理を適用するか否かを判定する必要がある。その対策として、中間調画像判定部を持ち、それらの判定結果によって最終的に補間判定結果を導き出す方法が考えられる。中間調画像判定部では補間ＯＦＦにすべき画像を判定することができる。
【０００７】
中間調画像判定部の判定処理方法の一つにスクリーン処理後の画像を注目画素からあらかじめ定められた長さだけ主走査方向に参照し、参照した領域内にドットが存在するかによって中間調画像かどうかを判定する手法がある。あらかじめ定められたディザマトリクスを用いてスクリーン処理を行った中間調画像は描画対象の画素（点灯画素）と描画対象ではない画素（非点灯画素）が一定の周期で現れる。このため、注目画素から少なくとも周期分以上の長さを参照し、参照領域内においてドットが存在する箇所、すなわち非点灯画素から点灯画素への変化箇所またはその逆の部分（エッジ部分）を検知することで中間調画像かどうかの判定が可能となる。この手法は主走査１ライン分の画像データを取得することで判定が可能となるためラインメモリを複数必要とせず、低コストでの中間調画像判定が可能となる。
【先行技術文献】
【特許文献】
【０００８】
【特許文献１】特開２００９−２７１３７７号広報
【発明の概要】
【発明が解決しようとする課題】
【０００９】
しかし、上記の中間調画像判定方法では、画像形成に用いるスクリーンの種類によっては中間調画像であるにも関わらず異なる判定結果が得られてしまう場合がある。
【００１０】
たとえば線数が２１２線４５度のディザマトリクスを用いてスクリーン処理を行った場合、ハイライト領域において主走査方向にドットが現れない領域が発生する。この場合、中間調画像であるにも関わらず先述の中間調領域の判定方法では中間調画像と判定されず、その結果、中間調画像に対して補間処理が行われてしまうという課題がある。
【課題を解決するための手段】
【００１１】
上記目的を達成するために本発明の一態様に係る画像形成装置は以下のような構成を備える。すなわち、画像データの画素の値と前記画素に対応するディザマトリクスの閾値とを比較することにより、前記画像データにスクリーン処理を行うスクリーン処理手段と、前記スクリーン処理手段によるスクリーン処理後の画像データにおいて、注目画素の横方向の所定の長さの領域内の画素値に基づき、前記注目画素が中間調画像に含まれているか否かを判定する判定手段とを有し、前記ディザマトリクスは複数のサブマトリクスで構成され、前記複数のサブマトリクスのうち、縦方向と横方向の画素数が同じである第１のサブマトリクスと第２のサブマトリクスは横方向に隣接し、前記第１のサブマトリクスの成長中心の閾値の位置と前記第２のサブマトリクスの成長中心の閾値の位置は、縦方向に異なり、前記判定手段における前記所定の長さは、前記第１のサブマトリクスの横方向の画素数よりも大きいことを特徴とする。
【発明の効果】
【００１２】
本発明によれば、中間調画像を高精度に判定することが可能となる。
【図面の簡単な説明】
【００１３】
【図１】画像形成装置の構成を示すブロック図である。
【図２】画像形成装置の断面図である。
【図３】感光体１０５における潜像の副走査方向へのずれを示す図である。
【図４】画像形成装置のプロファイル特性の一例を示す図である。
【図５】画像形成装置のずれと補正方向の関係を示す図である。
【図６】プロファイル特性のデータ保持方法を示す図である。
【図７】ＨＴ処理部１０７の構成を示す図である。
【図８】スクリーン処理の原理を説明する図である。
【図９】直線画像に対する乗り換え処理に関する説明の図である。
【図１０】乗り換え処理により生じた段差を補正するための処理を説明する図である。
【図１１】中間調画像に対する乗り換え処理に関する説明の図である。
【図１２】中間調画像判定処理の処理内容について表した図である。
【図１３】中間調画像に対して段差補正処理を実施した場合の図である。
【図１４】実施例１におけるディザマトリクスのドットの点灯順について説明した図である。
【図１５】補間処理部７０３にかかわる処理のフローを表した図である。
【図１６】実施例２におけるディザマトリクスのドットの点灯順について説明した図である。
【発明を実施するための形態】
【００１４】
以下、添付図面を参照して、本発明を好適な実施例に従って詳細に説明する。なお、以下の実施例において示す構成は一例にすぎず、本発明は図示された構成に限定されるものではない。
【実施例１】
【００１５】
図１は、本実施例における電子写真方式カラー画像形成装置の、静電潜像作成に関係する各ブロックの構成を説明する図である。本実施例では、カラー画像形成装置として、コピー機能やプリンタ機能等の複数の機能を備える多機能処理装置（ＭＦＰ：Ｍｕｌｔｉ  Ｆｕｎｃｔｉｏｎ  Ｐｅｒｉｐｈｅｒａｌ）を例に説明を行なうものとする。カラー画像形成装置は、画像形成部１０１と画像処理部１０２により構成し、画像処理部１０２でビットマップ画像情報を生成し、それに基づき画像形成部１０１が記録媒体上への画像形成を行う。図２は、電子写真方式を用いたカラー画像形成装置の断面図である。図１を用いて、電子写真方式のカラー画像形成装置における画像形成部１０１の動作を説明する。
【００１６】
画像形成部１０１は、画像処理部１０２が処理したビットマップ画像に基づいた露光時間に応じてレーザーによる露光を駆動し、静電潜像を形成して、この静電潜像を現像して単色トナー像を形成する。この単色トナー像を重ね合わせて多色トナー像を形成し、この多色トナー像を図２の記録媒体１１へ転写してその記録媒体上の多色トナー像を定着させる。デバイス特性記憶部１０３は、後述するプロファイル特性をはじめとする画像形成装置が画像形成を行う際に必要となるデバイス特性情報を記憶している。
【００１７】
画像生成部１０４は、不図示のコンピュータ装置等から受信する印刷データより、印刷処理が可能なラスターイメージデータを生成し、ＲＧＢデータおよび各画素のデータ属性を示す属性データとして画素毎に出力する。前記属性データは、文字、細線、ＣＧ、自然画といった属性を保持している。
【００１８】
色変換処理部１０５は、前記ＲＧＢデータを画像形成部１０２のトナー色にあわせてＣＭＹＫデータに変換し、ＣＭＫＹデータと属性データをビットマップメモリを有する記憶部１０６へ格納する。記憶部１０６は、画像処理部１０２に構成した第１の記憶部であり、印刷処理を行うラスターイメージデータを一旦格納するものである。なお、記憶部１０６は、１ページ分のイメージデータを格納するページメモリで構成しても良いし、複数ライン分のデータを記憶するバンドメモリとして構成しても良い。
【００１９】
ＨＴ処理部１０７（１０７Ｃ、１０７Ｍ、１０７Ｙ、１０７Ｋ）は、記憶部１０６から出力される各色のハーフトーニング処理により入力の階調を疑似中間調表現への変換と、データにレジストレーション補正処理とを行う。ＨＴ処理部１０７は補間処理部を有し、画像形成装置がもつ曲がり特性に対応した乗り換え位置の前後画素を使用して補間処理を実施する。補間処理およびハーフトーニングの詳細については後述する。
【００２０】
記憶部１０８は、画像形成装置内部に構成した第２の記憶部であり、ＨＴ処理部１０７により処理されたＮ値化データを記憶する。本実施例においては、第１記憶部１０６、第２記憶部１０８を別構成として説明したが、画像形成装置内部に共通の記憶部を構成するようにしても良い。パルス幅変調（ＰＷＭ：Ｐｕｌｓｅ  Ｗｉｄｔｈ  Ｍｏｄｕｌａｔｉｏｎ）１１３（１１３Ｃ，１１３Ｍ，１１３Ｙ，１１３Ｋ）は、記憶部１０８から読み出された色毎の画像データに対して、スキャナ部１１４の露光時間に変換する。パルス幅変調１１３が生成した露光時間に応じて、スキャナ部１１４（１１４Ｃ、１１４Ｍ、１１４Ｙ、１１４Ｋ）はレーザーにより露光を照射し、感光体１１５の表面を選択的に露光することにより、静電潜像を形成するように構成している。
【００２１】
感光体１１５（１１５Ｃ，１１５Ｍ，１１５Ｙ，１１５Ｋ）は、図示しない駆動モータの駆動力が伝達されて回転するものであり、駆動モータは、感光体１１５を画像形成動作に応じて反時計周り方向に回転させる。
【００２２】
プロファイル特性保存部１１６（１１６Ｃ，１１６Ｍ，１１６Ｙ，１１６Ｋ）は、後述するレジストレーションずれ補正を実施するために用いるプロファイル特性を保存している。
【００２３】
次に、図２を用いて画像形成装置による電子写真方式の画像形成方法について説明する。
【００２４】
図２の２２Ｙ、２２Ｍ、２２Ｃ、２２Ｋは注入帯電器であり、Ｙ、Ｍ、Ｃ、Ｋの色毎に感光体１１５（１１５Ｙ、１１５Ｍ、１１５Ｃ、１１５Ｋ）を帯電させるために４個を備える構成である。また、各注入帯電器にはスリーブ２２ＹＳ、２２ＭＳ、２２ＣＳ、２２ＫＳを備えている。図２の現像器２４（２４Ｙ、２４Ｍ、２４Ｃ、２４Ｋ）は現像機であり、前記静電潜像を可視化するために、Ｙ、Ｍ、Ｃ、Ｋの色毎に現像を行う４個の現像器を備える構成である。各現像器には、スリーブ２４Ｓ（２４ＹＳ、２４ＭＳ、２４ＣＳ、２４ＫＳ）が設けられている。なお、各色の現像器２４は脱着が可能である。
【００２５】
図２の中間転写体２６は、感光体１１５から単色トナー像を受け取るために時計周り方向に回転し、感光体１１５とその対向に位置する一次転写ローラ２５の回転に伴って、単色トナー像が転写される。一次転写ローラ２５に適当なバイアス電圧を印加すると共に感光体１１５の回転速度と中間転写体２６の回転速度に差をつけることにより、単色トナー像が効率良く中間転写体２６上に転写される。これを一次転写という。
【００２６】
更に、各色の単色トナー像は、中間転写体２６上に重ね合わされる。重ね合わされた多色トナー像は、中間転写体２６の回転に伴い二次転写ローラ２７まで搬送される。同時に、記録媒体１１が給紙トレイ２１から二次転写ローラ２７へ狭持搬送され、記録媒体１１に中間転写体２６上の多色トナー像が転写される。このとき、二次転写ローラ２７に適当なバイアス電圧を印加することで、静電的にトナー像を転写する。これを二次転写という。
【００２７】
定着装置２９は、記録媒体１１に転写された多色トナー像を記録媒体１１に溶融定着させるために、記録媒体１１を加熱する定着ローラ３０と記録媒体１１を定着ローラ３０に圧接させるための加圧ローラ３１を備えている。定着ローラ３０と加圧ローラ３１は中空状に形成され、内部にそれぞれヒータ３２、３３が内蔵されている。定着装置２９は、多色トナー像を保持した記録媒体１１を定着ローラ３０と加圧ローラ３１により搬送するとともに、熱および圧力を加え、トナーを記録媒体１１に定着させる。
【００２８】
トナー定着後の記録媒体１１は、その後図示しない排出ローラによって図示しない排紙トレイに排出して画像形成動作を終了する。クリーニング処理部２８は、中間転写体２６上に残ったトナーをクリーニングするものであり、中間転写体２６上に形成された４色の多色トナー像を記録媒体１１に転写した後に残った廃トナーは、クリーナ容器に蓄えられる。
【００２９】
次に、図３、図４、図５、図６を用いて、画像形成装置の色毎の副走査方向へのずれのプロファイル特性に関して説明する。
【００３０】
図３は、スキャナ部１１４が感光体１１５に対して感光体１１５の回転方向に対して垂直の直線画像の静電潜像を描画する際、実際に感光体１１５上に描かれる静電潜像を示した図である。スキャナ部１１４は感光体１１５上に、感光体１１５の回転方向に対して垂直となる走査線３０１を描画する。これは主走査方向に１ドットの直線を描画することと同意である。この時、偏光走査装置のレンズ不均一性や取り付け位置ずれなどに起因する潜像の描画位置が生じることがあり、その結果潜像位置がずれることで実際に感光体１０５上に描画される静電潜像が３０２となることがある。そのため、副走査方向にどれだけ潜像位置がずれるかをあらかじめ測定し、それに合わせて入力画像を補正しなければならない。そして、主走査位置に応じた副走査方向のずれを測定したものを副走査方向へのずれのプロファイル特性と呼ぶ。
【００３１】
図４（ａ）は、画像形成装置のプロファイル特性として、レーザースキャン方向に対して上方にずれている領域を示す図である。また、図４（ｂ）は画像形成装置のプロファイル特性として、レーザースキャン方向に対して下方にずれている領域を示す図である。走査線４０１は、理想的な走査線であり、感光体１１５の回転方向に対して垂直に走査が行われる場合の特性を示す。
【００３２】
なお、以下、説明におけるプロファイル特性は、画像処理部１０２で補正がなされるべき方向を前提として行うが、プロファイル特性としての定義は、これに限定されるものではない。つまり、画像形成部１０１のずれ方向として定義しておき、画像処理部１０２では、その逆特性の補正を行うように構成しても良い。図６は、プロファイル定義による、画像処理部１０２で補正がなされるべき方向を示す図と、画像形成部１０１のずれ方向を示す図の相関を示す。画像処理部１０２で補正がなされるべき方向として、図５（ａ）のように曲がり特性が示されている場合は、画像形成部１０１のプロファイル特性は、その逆方向である図５（ｂ）のようなものとなる。逆に、画像形成部１０１の曲がり特性として、図５（ｃ）が示されている場合、画像処理部１０２で補正がなされるべき方向としては図５（ｄ）のようになる。
【００３３】
また、プロファイル特性のデータの保持の仕方としては、例えば、図５に示すように、乗り換え位置の主走査方向の画素位置と、次の乗り換え位置までの変化の方向性を保持するようにする。具体的には、図６を例にとれば、（ａ）のプロファイル特性に対し、乗り換え位置がＰ１、Ｐ２、Ｐ３、・・・Ｐｍが定義される。各乗り換え位置の定義は、副走査方向に１画素ずれが発生する位置であり、方向としては、次の乗り換え位置まで上方向に変化する場合と下方向に変化する場合がある。
【００３４】
例えば、乗り換え位置Ｐ２は、次の乗り換え位置Ｐ３まで、上方向に乗り換えを行うべき位置となる。従って、Ｐ２における乗り換え方向は、図６（ｂ）に示すように上方向（↑）となる。同様に、Ｐ３においても、次の乗り換え位置Ｐ４までは上方向（↑）となる。乗り換え位置Ｐ４における乗り換え方向は、これまでの方向とは異なり下方向（↓）となる。この方向のデータの保持の仕方としては、例えば、上方向を示すデータとして“１”、下方向を示すデータとして“０”とすれば、図６（ｃ）のようになる。この場合、保持するデータ数は乗り換え位置数と同じだけとなり、乗り換え位置数がｍ個であるならば、保持するビット数もｍビットとなる。
【００３５】
図４の走査線４０２は、感光体１１５の位置精度や径のずれ、および図２に示す各色のスキャナ部１１４）における光学系の位置精度に起因した、傾きおよび曲がりの発生した実際の走査線を示す。画像形成装置は、カラー画像形成装置の場合、色毎にその特性が異なる。
【００３６】
次に、図６（ａ）を用いて、レーザースキャン方向が上方にずれている領域の乗り換え位置に関して説明する。
【００３７】
本実施例における乗り換え位置とは、副走査方向に１画素ずれている主走査方向の画素位置のことを示す。つまり、図６（ａ）においては、上方への曲がり特性４０２上で副走査方向に１画素ずれている位置であるＰ１、Ｐ２、Ｐ３が乗り換え位置に相当する。なお、図６（ａ）においてはＰ０を基準としたものとして記載している。同図からもわかるように、乗り換え位置間の距離（Ｌ１、Ｌ２）は、曲がり特性４０２が急激に変化している領域においては短くなり、緩やかに変化している領域においては長くなる。
【００３８】
次に、図４（ｂ）を用いて、レーザースキャン方向に下方にずれている領域の乗り換え位置に関して説明する。下方にずれている特性を示す領域においても、乗り換え位置の定義は、副走査方向に１画素ずれている位置のことを示す。つまり、図５（ｂ）においては、下方への湾曲特性４０２上で副走査方向に１画素ずれている位置であるＰｎ、Ｐｎ＋１が乗り換え位置に相当する。図４（ｂ）においても、図４（ａ）同様、乗り換え位置間の距離（Ｌｎ、Ｌｎ＋１）は、曲がり特性４０２が急激に変化している領域においては短くなり、緩やかに変化している領域においては長くなる。
【００３９】
このように、乗り換え位置は、画像形成装置がもつ曲がり特性４０２の変化度合いに密接に関係する。よって、急激な曲がり特性をもつ画像形成装置においては、乗り換え位置数は多くなり、逆に緩やかな曲がり特性をもつ画像形成装置においては、乗り換え位置数が少なくなる。
【００４０】
既に説明している通り、画像形成装置がもつ曲がり特性は、色毎にも異なるため、乗り換え位置の数および位置はそれぞれ異なる。この色間の相違が、中間転写体２６上に全色のトナー像を転写した画像においてレジストレーションずれとなって現れることとなる。
【００４１】
次に、図７を用いて、画像処理部１０２のＨＴ処理部１０７の動作について詳細に説明する。
【００４２】
ＨＴ処理部１０７のスクリーン処理部７０１は、記憶部１０６からＣＭＹＫ色成分の画像データを読み出す。スクリーン処理部７０１は、画像データを受け取り、連続階調画像をより階調数の少ない面積階調画像へと変換するために、スクリーン処理によるハーフトーニングを行う。
【００４３】
ＨＴ処理部１０７におけるスクリーン処理は、複数の閾値が配置されたディザマトリックスから任意の閾値を読み出し、入力された画像データと閾値との比較を行うことでＮ値化するディザ法によるものである。ディザマトリクスは、ディザマトリクス保持部６０２に複数保存されており、入力画像の属性や用途によって使用するディザマトリクスを切り替える。
【００４４】
図８を用いて、ディザ法によるスクリーン処理について説明する。ここでは説明を簡略化するために２値化について説明する。スクリーン処理とは、連続階調で表現された画像データを面積階調、すなわち単位面積あたりの着色された面積と非着色の面積の比で表現された階調、で表現する処理である。スクリーン処理にはスクリーンの成長を表すディザマトリクスが用いられる。ディザマトリクスとは、スクリーンの成長を制御する閾値テーブルを指す。
【００４５】
図８（ａ）は入力された画像データ、（ｂ）はスクリーン処理に用いるディザマトリクス、（ｃ）はスクリーン処理によって得られたスクリーン画像データである。スクリーン処理部７０１は、図７（ａ）の画像データが入力されると、画像データの各画素の画素値に注目し、注目画素に対応したディザマトリクス保持部７０２に格納されたディザマトリクスの（ｂ）の閾値と比較を行う。比較した結果、注目画素の画素値がディザマトリクスの閾値よりも大きければ、スクリーン画像データ（ｃ）の注目画素に対応する画素が値を有する。
【００４６】
たとえば、図８（ａ）のような、３×３の９画素で、各画素の画素値が１３０である画像データと、図８（ｂ）のような３×３で入力画素の画素値を０と２５５に２値化するディザマトリクスを用いてスクリーン処理を行う。スクリーン処理の結果、入力画素の画素値が対応するディザマトリクスの閾値を超える場合、スクリーン画像データ（ｃ）の対応する画素の画素値は２５５になる。前記入力画素の画素値がディザマトリクスの閾値以下の場合、スクリーン画像データ（ｃ）の対応する画素の画素値は０になる。この時、スクリーン画像データ（ｃ）のうち画素値０ではない画素の集合体をドットと呼ぶ。
【００４７】
そして、ディザマトリクスの閾値の配置方法を変えることで、スクリーン画像で表現される画像を変化することができる。図８（ｄ）はディザマトリクスを繰り返し配置する一例である。このディザマトリクスは６００ｄｐｉで主走査方向（横方向）に４画素、副走査方向（縦方向）に２画素のマトリクスとなっている。ドット間の距離が全画素とも主走査方向に２画素、副走査方向に２画素で２√２画素分の距離となるように配置されている。図８（ｄ）の例は、１ｉｎｃｈ、すなわち６００画素内にドットがいくつ存在するかを計算すると、６００÷２√２≒２１２となることから２１２線のスクリーン画像と呼ぶ。
【００４８】
［レジストレーションずれ補正処理について］
次に、図９，１０，１１，１２，１５を用いて、図７の７０３に示す補間処理部について詳細に説明する。図１５に補間処理部７０３が行う処理内容のフロー図を示す。
【００４９】
まず図１５を用いて補間処理部７０３が行う補間処理の処理フローについて説明する。
【００５０】
ステップ１５０１にて、補間処理部７０３にスクリーン処理後の画像が入力され、補間処理部７０３は、デバイス特性記憶部１０３に保存されたプロファイル特性１１６を呼び出し、乗り換え位置の主走査方向の画素位置と乗り換え方向を取得する。
【００５１】
次に、ステップ１５０２にて、補間処理部７０３は、入力画像を主走査方向に１ラインずつ画像を参照し、ステップ１０５１にて呼びだした乗り換え位置が中間調画像であるかどうか判定する中間調画像判定処理を行う。そして、中間調画像フラグを生成する。
【００５２】
次に、ステップ１５０３にて、補間処理部７０３は、ステップ１５０１で呼び出したプロファイル特性に応じて副走査方向へ１画素ずらす乗り換え処理を実施する。
【００５３】
次に、ステップ１５０４にて、補間処理部７０３は、ステップ１５０２で生成された中間調画像判定フラグを参照し、乗り換え位置が中間調画像であるかどうか判定する。中間調画像判定フラグが１である場合は中間調画像と判定し、乗り換え処理まで行われた画像を出力する。中間調画像判定フラグが０である場合は中間調画像ではないと判定し、ステップ１５０５に進む。
【００５４】
次に、ステップ１５０５にて、補間処理部７０３は、ステップ１５０４で中間調画像ではないと判定された場合、乗り換え段差を解消するための段差補正処理を実施し、出力する。
【００５５】
フロー内で実施する乗り換え処理について図９を用いて、段差補正処理について図１０，図１１，中間調画像判定処理について図１２を用いて詳細に説明する。
【００５６】
図９（ａ）は、スクリーン処理部７０１が生成した細線の画像データの状態を模式的に示す。図９（ａ）に示す通り、スクリーン処理部７０１が生成した画像データの状態においては、補間処理部７０３としての補正方向、あるいは画像形成部１０１の曲がり特性によらず、スクリーン処理部による処理後のデータが保持されている。図９（ａ）の直線９０１が、補間処理部７０３によって補正されるべき方向としてのプロファイル特性が上方向の場合、図９（ｂ）のように、乗り換え位置を境界として、上方向に１画素分ずらされた状態となるよう補正される。これにより、感光体１１５に実際に描画される画像の形状は図９（ｃ）のようになり、傾きを考慮した線描画を行うことが可能となる。
【００５７】
次に、図１０を用いて乗り換え処理により生じる段差の補正処理について説明する。図１０（ｂ）に示すように、乗換位置にて１画素ずらすことで直線９０１を実画上は図９（ｃ）のように傾きを考慮したラインの描画が可能となる。しかし、１画素ずらすことにより直線９０１に段差が生じてしまう。そこで、その段差を埋めるために画像データの階調値を副走査方向の前後の画素で調整する。すなわち、副走査方向に直線の画素値を平滑化することで直線の品位を保障する処理を行う。段差解消のための段差補正処理について図９で説明する。図１０（ａ）は図９（ｂ）と同じく直線９０１が副走査方向に１画素分ずらした処理を施したことを示す図である。このライン９０１に対し、副走査方向へ平滑化処理をかけたものが図１０（ｂ）である。乗り換え位置前の６画素分の直線９０１に対し、乗り換え位置近傍の３画素分は本来直線が描画されている画素の１画素上の画素に重みづけした平滑化を、残りの３画素分を本来直線９０１が描画されている画素に重みづけした平滑化を行う。この時重みづけの比は２：１とする。一方、乗り換え位置後の直線９０２に対しては、乗り換え位置近傍の３画素分は本来直線９０２が描画されている画素に重みづけした平滑化を、残りの３画素分は本来直線９０２が描画されている画素の１画素上の画素に重みづけした平滑化を行う。この時重みづけの比は２：１とする。このように副走査方向へ平滑化を行うことで、感光体１１５へ実際に描画される画像の形状は図１０（ｃ）のようになる。これにより、傾きを考慮しつつ直線としての品位を保障することが可能となる。なお、今回の平滑化は一例であり、平滑化の方法はこの限りではない。
【００５８】
一方で、図１１（ａ）が示すようなスクリーン処理により形成された中間調画像に対して先述のラインの段差解消のための補正処理を実施するとスクリーン処理により形成されたドットパターンが崩れてしまう。そうすると、補正箇所とそれ以外の場所で濃度特性が変化し、濃度ムラが生じてしまうという問題がある。このため、中間調画像に対しては図１１（ｂ）のように、乗り換え位置を境界として副走査方向に１画素分ずらす補正を行った後に段差解消のための補正処理を行わないのが好ましい。従って、感光体１１５に描画される画像の形状は図１１（ｃ）のようになる。
【００５９】
このように、乗り換え位置の画像が中間調画像かどうかによって補正処理の有無を決定する必要がある。そのため、乗り換え位置での段差補正処理の有無を決定するための中間調画像判定処理を、段差補正処理の前に実施する必要がある。図１２を用いて中間調判定方法について説明する。中間調画像と判定される条件は、注目画素から主走査方向に所定の長さ（例えば、３０画素分の長さ）をもつ判定領域で画像を参照し、非点灯画素から点灯画素への変化かその逆（エッジ部）が少なくとも所定数以上（例えば、２個以上）含まれることである。ただし、判定領域の長さはこの限りではない。なお、判定領域で画像を参照したとき、点灯画素の数が少なくとも２個以上含まれていれば、注目画素は中間調領域に含まれると判定してもよい。
【００６０】
図１２（ａ）はスクリーン処理部７０１が生成した細線の画像データに対して中間調画像判定処理を行う様子を示したものである。図１２（ａ）の判定領域においては点灯画素が連続して続いている状態となっている。このため、図１２（ａ）の判定領域は中間調画像と判定されずその結果中間調画像判定フラグは０となる。このため、段差補正処理はＯＦＦにならず実施される。つぎに、中間調画像に対して中間調判定を行った場合について説明する。図１２（ｂ）は１６６線のディザマトリクスを用いてスクリーン処理を行い生成されたドットパターン画像に対して中間調判定処理を行う様子を示したものである。１６６線のディザマトリクスを用いたスクリーン処理を行うと、図１２（ｂ）に示すように１つのドットから主走査方向に１４画素の位置に新たなドットを検知することが存在する。すなわち、ドットを１つ検知してから主走査方向に３０画素分の判定領域を用意すれば新たなドットを検知することができる。このようにスクリーン処理により生成された中間調画像に対して主走査方向に１ライン分参照して判定領域とし、領域内にエッジ部が複数含まれているかを見ることで中間調画像かどうかの判定を行うことが可能となる。その結果中間調画像判定フラグは１となり段差補正処理がＯＦＦとなるためドットパターンが保存される。次に、図１２（ｃ）は２１２線のディザマトリクスを用いてスクリーン処理を行い生成されたドットパターン画像に対して中間調判定処理を行う様子を示したものである。図１２（ｃ）が示すように、中間調画像であるにも関わらず主走査方向にドットがひとつも存在しない非点灯画素のみの領域が現れる。このため、非点灯画素のみの領域は中間調領域と判断されず中間調画像判定フラグも０となるため、不要であるにもかかわらず段差補正処理の対象となってしまう。
【００６１】
図１３は、中間調画像ではないと誤判定され、誤って補正処理が実施された例を示す。図１３（ａ）に示すようにドットが存在しない領域は中間調領域とは判定されない。このため、本来中間調領域には実施しない平滑化処理が実施されてしまう。このため、例えば先述の図１０（ｂ）で行われた平滑化が実施された場合、図１３（ｂ）のようにドット形状が崩れることとなる。これによりドット形状が崩れ濃度ムラの原因となってしまう。そこで、上記のような中間調画像判定処理を有する画像形成装置で２１２線のように主走査方向にドットが存在しない領域を有するディザマトリクスを用いる場合は最初のドット点灯位置をずらす必要がある。
【００６２】
図１４を用いて本件で提案する２１２線のディザマトリクスの点灯順について説明する。図１４（ａ）は２１２線のディザマトリクスの構成を示す図である。このとき、ディザマトリクス内でのドットパターンの点灯パターンの最少単位を示すマトリクスをサブマトリクスと呼ぶ。サブマトリクスの縦方向と横方向の画素数は、それぞれのサブマトリクスにおいて等しくなっている。図１４（ａ）が示す、ディザマトリクスは複数のサブマトリクスで構成されており、サブマトリクスは１つにつき８つのドットの点灯順を表す。図内の丸数字は各サブマトリクスにおけるドットの点灯順を表す。各サブマトリクスは最初に点灯する第１のドット（成長中心のドット）と２番目に点灯する第２のドットを有する。これら第１のドットと第２のドットは副走査方向（縦方向）に隣接した状態になっており、第１のドットと第２のドットを合わせたものを第１のドット群と呼ぶこととする。第１のドット群は各サブマトリクス内で同じ位置に存在する。このディザマトリクスを用いてスクリーン処理を行う場合、最初に点灯するのが第１のドットとなるがこの時各サブマトリクス内の第１のドットの位置がすべて同じだった場合、先述のように主走査方向にドットが存在しない領域が発生してしまう。そこで、サブマトリクスごとに第１のドット群内の第１のドットと第２のドットの位置関係が異なるものにすることで主走査方向にドットが存在しない領域の解消を行う。図１４（ａ）に示すように第１のドットと第２のドットの副走査方向の位置関係を２種類用意する。図１４（ｂ）に第１のドットが点灯した状態のスクリーン処理後の画像データを示す。図１４（ｂ）に示すように、第１のドットの位置が主走査方向（横方向）に少なくとも一つ現れる状態になっていることがわかる。これにより、２１２線のディザマトリクスであっても中間調判定処理により中間調画像と判定することが可能となる。図１４（ｃ）に第２のドットが点灯した状態のディザマトリクスの様子を示す。図１４（ｃ）に示すように第１のドット群が点灯している状態となり、サブマトリクスごとのドット形状が等しく２１２線の線数が保たれていることがわかる。図１４（ａ）が示すディザマトリクスでは各サブマトリクスの３番目以降のドットの点灯順をサブマトリクス間で等しいものとしているが、サブマトリクス間で異なるものとしてもよい。
【００６３】
このように主走査方向に画素を参照して中間調画像であるかどうかを判定する画像形成装置において、２１２線のような主走査方向にドットが存在しないドットパターンを形成させる線数のディザマトリクスを用いたスクリーン処理を行う。このとき、最初に点灯するドットの位置をサブマトリクスごとにずらすことで、中間調画像判定処理の誤判定を回避することが可能となる。これにより、レジストレーション補正のための乗り換え位置での副走査方向へのずらし処理を行い、中間調画像に影響を与えることなく直線領域の段差補正処理を実施することが可能となる。
【実施例２】
【００６４】
実施例１では、２１２線のディザマトリクスの最初に点灯するドットと２番目に点灯するドットの点灯位置を工夫することで、スクリーン処理後の画像データの横方向に少なくともドットが１つ以上存在するような画像形成を行うディザマトリクスを説明した。
【００６５】
しかし、サブマトリクスごとに最初のドットの点灯位置を変えるためドット間隔が不均一になる。そのため、１ドットの再現性がとても強い画像形成装置などの場合だとテクスチャが見えてしまう可能性がある。そこで、実施例２ではディザマトリクスのサイズを大きくすることでサブマトリクスの数を増やし、点灯順が異なる第１のドットと第２のドットの組み合わせを有する第１のドット群の現れる位置を離す。これにより、テクスチャを低減しつつ誤判定の回避を行うことができる。
【００６６】
図１６に本実施例で提案するディザマトリクスの成長順について説明する。図１６（ａ）は本実施例で提案するディザマトリクスにおけるドットの点灯順を表すものである。図１６のディザマトリクスの線数は２１２線であり、複数のサブマトリクスで構成される。丸数字は各サブマトリクスのドットの点灯順を表す。なお、三番目以降の点灯順については簡略化のため割愛する。
【００６７】
図１６（ａ）に示すようにディザマトリクスには２４個の第１のドット群が存在する。そして、ディザマトリクスにおいて横方向にドットが存在しない領域が発生しないスクリーン処理を行うためには２４個の第１のドット群のうち、４個の第１のドット群において残りのドット群と第１のドットと第２のドットの点灯位置が異なるようにする。図１６（ｂ）に図１６（ａ）のディザマトリクスを用いて最初のドットを点灯した結果の画像を示し、図１６（ｃ）に図１６（ａ）のディザマトリクスを主走査方向に２回繰り返し用いて得られるスクリーン画像を示す。１６０１，１６０２は各々図１６（ａ）のディザマトリクスを用いたスクリーン処理により得られるパターン画像である。図１６（ｃ）に示すように、主走査方向にドットの現れない領域は存在せず、同時にドット間の間隔が異なるパターンが連続しなくなるためテクスチャが目立たなくなる。これにより、テクスチャを低減しつつ中間調画像判定の誤判定を回避することが可能となる。
【００６８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2019110469.tif 000003
【図２】
2019110469.tif 000004
【図３】
2019110469.tif 000005
【図４】
2019110469.tif 000006
【図５】
2019110469.tif 000007
【図６】
2019110469.tif 000008
【図７】
2019110469.tif 000009
【図８】
2019110469.tif 000010
【図９】
2019110469.tif 000011
【図１０】
2019110469.tif 000012
【図１１】
2019110469.tif 000013
【図１２】
2019110469.tif 000014
【図１３】
2019110469.tif 000015
【図１４】
2019110469.tif 000016
【図１５】
2019110469.tif 000017
【図１６】
2019110469.tif 000018